(57)【要約】   【課題】  簡単な構造で建物外壁に取付・取外しが容易な化粧タイルの取付構造を提供することを目的とする。  【解決手段】化粧タイル４を上下一対の取付用ベース７に跨るように挿入して、既に一組の化粧タイル４のすべての取付脚部４ｃの係止片４ｅが取付用ベース７の係止部９の折返部７ｅの１／２部分に掛かって係止されている。この状態で、次の化粧タイル４の取付脚部４ｃの係止片４ｅが取付用ベース７の挿入部８から挿入される。そして、化粧タイル４を右方向にスライドして既に挿入された一組の化粧タイル４に当接させると、後で挿入された化粧タイル４のすべての係止片４ｅが取付用ベース７の係止部９の残りの１／２部分に掛かって係止される。取付用ベース７の挿入部８と係止部９は化粧タイル４の係止片４ｅに合わせた長さとピッチで形成されるので、化粧タイル４の挿入とスライドの動作はどの位置からでもスムーズに実施できる。【選択図】  図４
2010196308.tif 000002
【特許請求の範囲】
【請求項１】
建物外壁の金属サイディングに配置する化粧タイルの取付構造であって、
前記金属サイディングは水平で平行な複数の凹溝を備え、この凹溝に嵌め込まれる化粧タイルの取付用ベースは底板と一対の側板で断面凹状に形成され、この一対の側板の端部には凹溝の内部側に側板と平行に折返して前記化粧タイルを挿入する挿入部と前記化粧タイルを係止する係止部とが水平方向に交互に形成され、
前記化粧タイルは略扁平直方体で一対の側面からそれぞれ少なくとも二組の取付脚部が対向して突出し、この取付脚部の先端部に係止片が対向して形成され、
前記化粧タイルの取付脚部を隣接する上下一対の前記取付用ベースに跨るように挿入して、前記取付脚部が一対の前記取付用ベースの挿入部に挿入された後にスライドして前記係止片が一対の前記係止部に係止されるように、それぞれの前記取付用ベースの挿入部と係止部は前記化粧タイルの取付脚部に合わせた長さとピッチで形成され、前記取付用ベースにおいて前記挿入部は前記係止部より広い開口幅で形成されることを特徴とする化粧タイルの取付構造。
【請求項２】
請求項１に記載の化粧タイルの取付構造であって、前記化粧タイルは金属板で形成されることを特徴とする化粧タイルの取付構造。
【請求項３】
請求項１又は請求項２に記載の化粧タイルの取付構造であって、前記取付用ベースの挿入部と係止部は前記係止部から前記挿入部に向かって開口幅が広くなるように連続的に傾斜して形成されることを特徴とする化粧タイルの取付構造。
【発明の詳細な説明】
【技術分野】
【０００１】
本発明は、建物外壁に金属サイディングを介して配置する化粧タイルの取付構造に関し、特に、取付と取外しが簡単な化粧タイルの取付構造の技術に関する。
【背景技術】
【０００２】
図６に示すように、従来、サイディング５０の表面に金属板５１が形成され、金属板５１は水平で平行に押し出された畝状高台５２を一定の間隔で複数列形成しており、一対の畝状高台５２で挟まれた金属板５１の表面５４と畝状高台５２の頂面５３は平行である。化粧タイル５５の裏面５６には段差を設けるように蟻溝５７が形成され、畝状高台５２の高さと化粧タイル５５の蟻溝５７の深さとは略等しく形成される。そして、化粧タイル５５をサイディング５０の金属板５１に取付ける際に、化粧タイル５５の蟻溝５７を畝状高台５２の頂面５３の二箇所に接着剤５８を用いて貼り合わせる一方で、化粧タイル５５の裏面５６を表面５４に対応させて表面５４に塗布された二箇所の接着剤５９を用いて貼り合わせることで、化粧タイル５５をサイディング５０の金属板５１に確実に固着することができる。
【先行技術文献】
【特許文献】
【０００３】
【特許文献１】特開平０７−０７６９１７号公報
【発明の概要】
【発明が解決しようとする課題】
【０００４】
ところが、この構成によれば、化粧タイル５５が接着剤５８，５９によってサイディング５０に固着されているため、増改築時等に化粧タイル５５を壊すことなく取外すのは困難であり、化粧タイル５５を再利用することが不可能であるためコスト高であるという課題があった。
【０００５】
本発明はかかる従来技術の問題に鑑みなされたものであって、建物外壁に簡単な構造で取付・取外しが容易な化粧タイルの取付構造を提供することを目的とする。
【課題を解決するための手段】
【０００６】
請求項１記載の発明は、建物外壁の金属サイディングに配置する化粧タイルの取付構造であって、前記金属サイディングは水平で平行な複数の凹溝を備える。この凹溝に嵌め込まれる化粧タイルの取付用ベースは底板と一対の側板で断面凹状に形成され、この一対の側板の端部には凹溝の内部側に側板と平行に折返して前記化粧タイルを挿入する挿入部と前記化粧タイルを係止する係止部とが水平方向に交互に形成される。前記化粧タイルは略扁平直方体で一対の側面からそれぞれ少なくとも二組の取付脚部が対向して突出し、この取付脚部の先端部に係止片が対向して形成され、前記化粧タイルの取付脚部を隣接する上下一対の前記取付用ベースに跨るように挿入して、前記取付脚部が一対の前記取付用ベースの挿入部に挿入された後にスライドして前記係止片が一対の前記係止部に係止される。そして、それぞれの前記取付用ベースの挿入部と係止部は前記化粧タイルの取付脚部に合わせた長さとピッチで形成され、前記取付用ベースにおいて前記挿入部は前記係止部より広い開口幅で形成されることを特徴としている。
【０００７】
請求項２記載の発明は、請求項１に記載の化粧タイルの取付構造であって、前記化粧タイルは金属板で形成されることを特徴としている。
【０００８】
請求項３記載の発明は、請求項１又は請求項２に記載の化粧タイルの取付構造であって、前記取付用ベースの挿入部と係止部は前記係止部から前記挿入部に向かって開口幅が広くなるように連続的に傾斜して形成されることを特徴としている。
【発明の効果】
【０００９】
請求項１記載の発明によれば、この化粧タイルの取付構造は、前記化粧タイルの取付用ベースの一対の側板に前記化粧タイルを挿入する挿入部と前記化粧タイルを係止する係止部とが水平方向に交互に形成される。前記化粧タイルは少なくとも二組の取付脚部が対向して突出し、この取付脚部の先端部に係止片が対向して形成される。そして、前記化粧タイルの取付脚部を隣接する上下一対の前記取付用ベースに跨るように挿入して、前記取付脚部が一対の前記取付用ベースの挿入部に挿入された後にスライドして前記係止片が一対の前記係止部に係止されるように、それぞれの前記取付用ベースの挿入部と係止部は前記化粧タイルの取付脚部に合わせた長さとピッチで形成され、前記取付用ベースにおいて前記挿入部は前記係止部より広い開口幅で形成される。
【００１０】
このため、前記化粧タイルの取付脚部が前記取付用ベースの挿入部に挿入された後にスライドするだけで、前記取付脚部が前記係止部に簡単に係止することができるので、取付が確実且つ簡単に実施できる。リフォーム等で前記化粧タイルを取外す必要がある際には前記化粧タイルを傷つけることなく容易にスライドして取外し再利用できるので、メンテナンス性に優れ、コストを下げることができる。
【００１１】
請求項２記載の発明によれば、前記化粧タイルは金属板で形成されるので、軽量で作業性もよくコストダウンが計れる。前記化粧タイルに自由なデザインが描けるので商品価値が向上する。簡単な構造なのでコストが安価である。
【００１２】
請求項３記載の発明によれば、前記取付用ベースの挿入部と係止部は前記係止部から前記挿入部に向かって開口幅が広くなるように連続的に傾斜して形成されるので、前記化粧タイルの取付脚部が前記取付用ベースの挿入部に挿入された後にスライドする際の移動が容易にできるので取付作業性が向上する。
【図面の簡単な説明】
【００１３】
【図１】本発明の実施形態における、建物外壁１に金属サイディング２の凹溝６に配置された取付用ベース７に化粧タイル４を取付ける状態を示す一部断面斜視図である。
【図２】本発明の実施形態における、金属サイディング２の凹溝６に挿入される取付用ベース７の斜視図である。
【図３】本発明の実施形態における、化粧タイル４の斜視図である。
【図４】本発明の実施形態における、図１の垂直断面図で、化粧タイル４の係止片４eが取付用ベース７の折返部７eに係止された状態を示す図である。
【図５】化粧タイル４の組付け手順を示す図で、（ａ）は、既に一組の化粧タイル４が右側に取付けられ、左側から次の化粧タイル４の取付脚部４ｃが取付用ベース７の挿入部８から挿入された状態、（ｂ）は、左側の化粧タイル４を右方向にスライドして化粧タイル４の係止片４eが係止部９の折返部７eに係止され、左側の化粧タイル４が右側の化粧タイル４に当接する状態である。
【図６】従来の、サイディング５０の表面の金属板５１に化粧タイル５５を接着剤５８，５９で貼り合わせる状態を示す斜視図である。
【発明を実施するための形態】
【００１４】
以下に、本発明の実施形態を図１〜図４に基づいて説明する。
【００１５】
＜化粧タイルの取付構造の構成＞
図１、図２、図３、図４に示すように、建物外壁１に金属サイディング２を介して化粧タイル４が配置される。金属サイディング２に水平で平行な複数の凹溝６が形成され、この凹溝６に化粧タイル４の取付用ベース７が嵌め込まれる。取付用ベース７は図示しない接着剤かビス等で確実に凹溝６に固定される。
【００１６】
取付用ベース７は長尺で底板７ａと一対の側板７ｂで断面凹状に形成され、側板７ｂの端部７ｃには、底板７ａに対して平行な表面板７ｄと側板７ｂに対して平行で底板７ａに向かって折返して折返部７ｅまで連続的に形成される。
【００１７】
表面板７ｄと折返部７ｅには、取付用ベース７の長手方向に化粧タイル４を挿入する挿入部８と化粧タイル４を係止する係止部９とが交互に形成され、挿入部８が係止部９より広い開口幅と成るように斜板１０を介して形成される。このため、表面板７ｄには凹凸が連続的に形成される。
【００１８】
化粧タイル４は本体４ａが略扁平直方体で、本体４ａの化粧タイル４を建物外壁１に取付けた状態で垂直方向の一対の側面４ｂからそれぞれ三組の取付脚部４ｃが対称的に突出し、この取付脚部４ｃの先端部４ｄに互いに対向するように９０度で折返して成る係止片４ｅが形成される。
【００１９】
そして、化粧タイル４は取付脚部４ｃを隣接する上下一対の取付用ベース７のそれぞれ略半分の領域に跨るように挿入して、取付脚部４ｃが上下一対の取付用ベース７の挿入部８に挿入された後にスライドして係止片４ｅが上下一対の係止部９の折返部７eに係止される。このため、それぞれの取付用ベース７の挿入部８と係止部９は化粧タイル４の取付脚部４ｃに合わせた長さＳとピッチＴで形成される。
【００２０】
なお、取付脚部４ｃが取付用ベース７の挿入部８に挿入された後にスライドして、取付脚部４ｃが係止部９の１／２部分に係止される。取付脚部４ｃと折返部７ｅの高さは互いにガタなく係止できる高さに形成されるので、取付脚部４ｃは係止片４ｅの弾力によって係止部９に確実に係止する。
【００２１】
＜化粧タイルの取付構造の作用＞
化粧タイル４の組付け手順は、まず、図５（ａ）に示すように、化粧タイル４を上下一対の取付用ベース７に跨るように挿入して、既に一組の化粧タイル４のすべての取付脚部４ｃが取付用ベース７の係止部９の折返部７ｅの１／２部分に掛かって係止されている。この状態で、次の化粧タイル４の取付脚部４ｃが取付用ベース７の挿入部８から挿入される。
【００２２】
次に、図５（ｂ）に示すように、化粧タイル４を右方向にスライドして既に挿入された一組の化粧タイル４に当接させると、後で挿入された化粧タイル４のすべての取付脚部４ｃが取付用ベース７の係止部９の残りの１／２部分に掛かって係止される。このように、上記、取付用ベース７の挿入部８と係止部９は化粧タイル４の取付脚部４ｃに合わせた長さＳとピッチＴで形成されるので、化粧タイル４の挿入とスライドの動作はどの位置からでもスムーズに実施できる。
【００２３】
化粧タイル４を板金加工で一体成形する簡単な構造なので軽量化できて製作コストを下げることができる。また、構造が大掛かりでなくなり取付が容易となり、必要に応じて取外しも容易で再利用できる。
【００２４】
以上、本発明の実施例を図面に基づいて説明したが、具体的な構成はこの実施例に限られるものではなく本発明の要旨を逸脱しない範囲の設計変更等があっても本発明に含まれる。
【００２５】
たとえば、化粧タイル４の表面にデザイン等を選んで形成することもできる。金属サイディング２には垂直に平行な複数の凹溝６を形成して、建物壁に沿って複数の矩形状のパネルを上下方向にスライドして配置することもできる。
【符号の説明】
【００２６】
４  化粧タイル
４ｃ  取付脚部
４ｅ  係止片
７  取付用ベース
７ｅ  折返部
８  挿入部
９  係止部
【図１】
2010196308.tif 000003
【図２】
2010196308.tif 000004
【図３】
2010196308.tif 000005
【図４】
2010196308.tif 000006
【図５】
2010196308.tif 000007
【図６】
2010196308.tif 000008